(57)【特許請求の範囲】
【請求項１】
前面に開口部を有する本体部と、
前記本体部内に前後方向に移動可能に収納される押圧部と、を備え、
前記本体部は、前記開口部を構成する側壁の２ヶ所に紐部材が通る本体部孔を形成し、
前記押圧部は、前面に押圧面を有し、内部に前記２ヶ所の本体部孔と連通可能で前記紐部材が通る押圧部紐挿通部を設け、
前記押圧部の内部で前記紐部材を屈曲させて挿通させる屈曲挿通部(102)を設け、
前記側壁の内面と前記２ヶ所の本体部孔を通る前記紐部材の外形とが交わる２ヶ所の仮想面を直線でつなげた仮想立体にラップする位置に、前記押圧部を前記本体部の前方に付勢する付勢手段を設け、
前記紐部材は、
前記付勢手段が付勢する前方の方向と直交する方向に、当該付勢手段と離れて横並びに配置されている、
ことを特徴とするコードロック。
【請求項２】
前記紐部材は、
前記押圧部の内部で前記屈曲挿通部により屈曲されることで、前記仮想立体より外側に挿通されている、ことを特徴とする請求項１に記載のコードロック。
【請求項３】
前記付勢手段は、前記押圧部に設けた円筒凹部に収納されるコイルスプリングであることを特徴とする、請求項１又は請求項２に記載のコードロック。
【請求項４】
前記屈曲挿通部は、前記円筒凹部の周壁を通るように設けられること特徴とする、請求項３に記載のコードロック。
【請求項５】
前記屈曲挿通部は、前記２ヶ所の本体部孔の同じ側の孔縁間同士をつなげる仮想線より外側に前記紐部材を挿通させることを特徴とする、請求項１〜４のいずれか１項に記載のコードロック。
【請求項６】
前記押圧部紐挿通部の２ヶ所の開口と前記２ヶ所の本体部孔とが略同一位置にあることを特徴とする、請求項１〜５のいずれか１項に記載のコードロック。
【請求項７】
前記押圧部の押圧面の反対面側の一部を前記屈曲挿通部に開口させて形成されていることを特徴とする、請求項１〜６のいずれか１項に記載のコードロック。
【発明の詳細な説明】
【技術分野】
【０００１】
この発明は、コードロックに関し、付勢手段の付勢力が紐部材に確実に伝わり、紐部材の保持力を向上することができるようにしたものである。
【背景技術】
【０００２】
従来、ボックスタイプの紐留め具で、紐類を直線状に通し、コイルスプリングを紐類に対してオフセットされたずれた位置に配置した「紐留め具」が知られている（特許文献１の段落番号「００２７」、並びに図１、図１５及び図１６参照）。
【先行技術文献】
【特許文献】
【０００３】
【特許文献１】特開2015-134052号公報
【発明の概要】
【発明が解決しようとする課題】
【０００４】
しかし、上記した従来の「紐留め具」では、紐類を直線状に通す中空部とコイルスプリングの軸が横並びのため、雄部材の押圧部を傾かせてバネが押している状態となり、紐類の保持荷重が発生し難いという問題点があった。このため、保持力を高くするために、バネの荷重を高くすると、紐類をリリースするための操作荷重が高くなるおそれがあった。
また、上記した従来の「紐留め具」では、押圧部が傾くと、雌部材に引っ掛かり抵抗となり、リリース荷重の増加となったり、操作性が悪化する要因ともなるおそれがあるという第２の問題点があった。このように、紐類が直線状のため、概して保持力を得るのが難しかった。
そこで、各請求項にそれぞれ記載された各発明は、上記した従来の技術の有する問題点に鑑みてなされたものであり、その目的とするところは、次の点にある。
【０００５】
（請求項１及び請求項２）
請求項１及び請求項２に記載の各発明は、次の点を目的とする。
すなわち、請求項１及び請求項２に記載の各発明は、付勢手段を、側壁の内面と２ヶ所の本体部孔を通る紐部材の外形とが交わる２ヶ所の仮想面を直線でつなげた仮想立体にラップする位置に設けることで、付勢手段の付勢力が紐部材に確実に伝わり、又、押圧部の内部で紐部材を屈曲させて挿通させる屈曲挿通部を設けることで、紐部材の保持力を向上することができるようにしたものである。
【０００６】
（請求項３）
請求項３に記載の発明は、上記した請求項１又は請求項２に記載の発明の目的に加え、次の点を目的とする。
すなわち、請求項３に記載の発明は、付勢手段を、コイルスプリングから構成し、当該コイルスプリングを押圧部に設けた円筒凹部に収納することで、付勢手段の設置スペースを小さくでき、確実に付勢力を発生させることができるようにしたものである。
【０００７】
（請求項４）
請求項４に記載の発明は、上記した請求項３に記載の発明の目的に加え、次の点を目的とする。
すなわち、請求項４に記載の発明は、屈曲挿通部が円筒凹部の周壁を通るように設けることで、当該屈曲挿通部を小さく設定することができるようにしたものである。
【０００８】
（請求項５）
請求項５に記載の発明は、上記した請求項１〜４のいずれか１項に記載の発明の目的に加え、次の点を目的とする。
すなわち、請求項５に記載の発明は、屈曲挿通部を、２ヶ所の本体部孔の同じ側の孔縁間同士をつなげる仮想線より外側に紐部材を挿通させることで、屈曲挿通部の屈曲を大きくして、より紐部材の保持力を高くすることができるようにしたものである。
【０００９】
（請求項６）
請求項６に記載の発明は、上記した請求項１〜５のいずれか１項に記載の発明の目的に加え、次の点を目的とする。
すなわち、請求項６に記載の発明は、押圧部紐挿通部の２ヶ所の開口と２ヶ所の本体部孔とを略同一位置に配置させることで、押圧部の開口と本体部孔の縁間でも、紐部材の保持力を発生させることができるようにしたものである。
【００１０】
（請求項７）
請求項７に記載の発明は、上記した請求項１〜６のいずれか１項に記載の発明の目的に加え、次の点を目的とする。
すなわち、請求項７に記載の発明は、押圧部の押圧面の反対面側の一部を屈曲挿通部に開口させて形成することで、屈曲挿通部の形成を容易とすることができるようにしたものである。
【課題を解決するための手段】
【００１１】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
【００１２】
（請求項１）
請求項１に記載の発明は、次の点を特徴とする。
第１に、コードロック(10)は、例えば図１に示すように、次の構成を備える。
（１）本体部(30)
本体部(30)は、例えば図１に示すように、前面に開口部(31)を有するものである。
（２）押圧部(40)
押圧部(40)は、例えば図２及び図１５に示すように、本体部(30)内に前後方向に移動可能に収納されるものである。
【００１３】
第２に、本体部(30)には、例えば図１に示すように、開口部(31)を構成する側壁（例えば本体部30の外側壁70）の２ヶ所に紐部材(20)が通る本体部孔(71)を形成する。
第３に、押圧部(40)には、例えば図１及び図１７に示すように、前面に押圧面(81)を有し、内部に２ヶ所の本体部孔(71)と連通可能で紐部材(20)が通る押圧部紐挿通部(100)を設ける。
第４に、例えば図１７及び図１８に示すように、押圧部(40)の内部で紐部材(20)を屈曲させて挿通させる屈曲挿通部(102)を設ける。
【００１４】
第５に、例えば図１、図２及び図１４に示すように、側壁（例えば本体部30の外側壁70）の内面と２ヶ所の本体部孔(71)を通る紐部材(20)の外形とが交わる２ヶ所の仮想面を直線でつなげた仮想立体にラップする位置に、押圧部(40)を本体部(30)の前方に付勢する付勢手段（例えばコイルスプリング50）を設けた。
ここで、「側壁（例えば本体部30の外側壁70）の内面と２ヶ所の本体部孔(71)を通る紐部材(20)の外形とが交わる２ヶ所の仮想面」は、簡単に説明すると、例えば図１に示す押圧部孔(101)の方形の孔面が相当する。
第６に、紐部材(20)は、例えば図１８及び図２５に示すように、付勢手段(50)が付勢する前方の方向と直交する方向に、当該付勢手段(50)と離れて横並びに配置されている。
（請求項２）
請求項２に記載の発明は、上記した請求項１に記載の発明の特徴点に加え、次の点を特徴とする。
すなわち、紐部材(20)は、例えば図１８及び図２５に示すように、押圧部(40)の内部で屈曲挿通部(102)により屈曲されることで、仮想立体より外側に挿通されている。
【００１５】
（請求項３）
請求項３に記載の発明は、上記した請求項１又は請求項２に記載の発明の特徴点に加え、次の点を特徴とする。
すなわち、付勢手段は、例えば図１及び図２に示すように、押圧部(40)に設けた円筒凹部(110)に収納されるコイルスプリング(50)である。
【００１６】
（請求項４）
請求項４に記載の発明は、上記した請求項３に記載の発明の特徴点に加え、次の点を特徴とする。
すなわち、屈曲挿通部(102)は、例えば図１２に示すように、円筒凹部(110)の周壁(111)を通るように設けられる。
【００１７】
（請求項５）
請求項５に記載の発明は、上記した請求項１〜４のいずれか１項に記載の発明の特徴点に加え、次の点を特徴とする。
すなわち、屈曲挿通部(102)は、例えば図１２に示すように、２ヶ所の本体部孔(71)の同じ側の孔縁間同士をつなげる仮想線より外側に紐部材(20)を挿通させる。
ここで、「２ヶ所の本体部孔(71)の同じ側の孔縁」とは、例えば図１２に示すように、例えば押圧部(40)の「押圧部孔101」の孔縁が相当する。
【００１８】
（請求項６）
請求項６に記載の発明は、上記した請求項１〜５のいずれか１項に記載の発明の特徴点に加え、次の点を特徴とする。
すなわち、例えば図１７に示すように、押圧部紐挿通部(100)の２ヶ所の開口と２ヶ所の本体部孔(71)とが略同一位置にある。
ここで、「押圧部紐挿通部(100)の２ヶ所の開口」には、例えば図１７に示すように、例えば押圧部(40)の「押圧部孔101」が相当する。
【００１９】
（請求項７）
請求項７に記載の発明は、上記した請求項１〜６のいずれか１項に記載の発明の特徴点に加え、次の点を特徴とする。
すなわち、例えば図１及び図２に示すように、押圧部(40)の押圧面(81)の反対面側の一部を屈曲挿通部(102)に開口させて形成されている。
ここで、「押圧部(40)の押圧面(81)の反対面側の一部を屈曲挿通部(102)に開口させて形成されている」部分としては、例えば図１４との対比からも明らかなように、図１３に示す「窓部101」が相当する。
【発明の効果】
【００２０】
本発明は、以上のように構成されているので、以下に記載されるような効果を奏する。
（請求項１及び請求項２）
請求項１及び請求項２に記載の各発明によれば、次のような効果を奏する。
すなわち、請求項１及び請求項２に記載の各発明によれば、付勢手段を、側壁の内面と２ヶ所の本体部孔を通る紐部材の外形とが交わる２ヶ所の仮想面を直線でつなげた仮想立体にラップする位置に設けることで、付勢手段の付勢力が紐部材に確実に伝わり、又、押圧部の内部で紐部材を屈曲させて挿通させる屈曲挿通部を設けることで、紐部材の保持力を向上することができる。
【００２１】
（請求項３）
請求項３に記載の発明によれば、上記した請求項１又は請求項２に記載の発明の効果に加え、次のような効果を奏する。
すなわち、請求項３に記載の発明によれば、付勢手段を、コイルスプリングから構成し、当該コイルスプリングを押圧部に設けた円筒凹部に収納することで、付勢手段の設置スペースを小さくでき、確実に付勢力を発生させることができる。
【００２２】
（請求項４）
請求項４に記載の発明によれば、上記した請求項３に記載の発明の効果に加え、次のような効果を奏する。
すなわち、請求項４に記載の発明によれば、屈曲挿通部が円筒凹部の周壁を通るように設けることで、当該屈曲挿通部を小さく設定することができる。
【００２３】
（請求項５）
請求項５に記載の発明によれば、上記した請求項１〜４のいずれか１項に記載の発明の効果に加え、次のような効果を奏する。
すなわち、請求項５に記載の発明によれば、屈曲挿通部を、２ヶ所の本体部孔の同じ側の孔縁間同士をつなげる仮想線より外側に紐部材を挿通させることで、屈曲挿通部の屈曲を大きくして、より紐部材の保持力を高くすることができる。
【００２４】
（請求項６）
請求項６に記載の発明によれば、上記した請求項１〜５のいずれか１項に記載の発明の効果に加え、次のような効果を奏する。
すなわち、請求項６に記載の発明によれば、押圧部紐挿通部の２ヶ所の開口と２ヶ所の本体部孔とを略同一位置に配置させることで、押圧部の開口と本体部孔の縁間でも、紐部材の保持力を発生させることができる。
【００２５】
（請求項７）
請求項７に記載の発明によれば、上記した請求項１〜６のいずれか１項に記載の発明の効果に加え、次のような効果を奏する。
すなわち、請求項７に記載の発明によれば、押圧部の押圧面の反対面側の一部を屈曲挿通部に開口させて形成することで、屈曲挿通部の形成を容易とすることができる。      
【図面の簡単な説明】
【００２６】
【図１】同図から図１８は本発明の第１の実施の形態を示し、同図はコードロックの分解斜視図である。
【図２】コードロックの分解断面図である。
【図３】本体部の正面図である。
【図４】本体部の左側面図である。
【図５】本体部の右側面図である。
【図６】本体部の底面図である。
【図７】図４のＡ−Ａ線に沿う断面図である。
【図８】押圧部の正面図である。
【図９】押圧部の左側面図である。
【図１０】押圧部の右側面図である。
【図１１】押圧部の底面図である。
【図１２】図８のＢ−Ｂ線に沿う断面図である。
【図１３】図９のＣ−Ｃ線に沿う断面図である。
【図１４】図１０のＤ−Ｄ線に沿う断面図である。
【図１５】組み立て状態のコードロックの正面図である。
【図１６】組み立て状態のコードロックの左側面図である。
【図１７】図１５の縦断面図である。
【図１８】図１７に対応し、紐部材を通した状態の縦断面図である。
【図１９】同図から図３７は本発明の第２の実施の形態を示し、同図はコードロックの分解斜視図である。
【図２０】組み立て状態のコードロックの斜視図である。
【図２１】図２０の正面図である。
【図２２】図２１の左側面図である。
【図２３】図２１の平面図である。
【図２４】図２１のＥ−Ｅ線に沿う断面図である。
【図２５】図２４に対応し、紐部材を通した状態の縦断面図である。
【図２６】図２２のＦ−Ｆ線に沿う断面図である。
【図２７】本体部の斜視図である。
【図２８】図２７の正面図である。
【図２９】図２８の左側面図である。
【図３０】図２８の右側面図である。
【図３１】図２８の底面図である。
【図３２】押圧部の斜視図である。
【図３３】図３２を下側から見た斜視図である。
【図３４】図３２の正面図である。
【図３５】図３２の左側面図である
【図３６】図３２の右側面図である。
【図３７】図３２の平面図である。
【発明を実施するための形態】
【００２７】
（コードロック10）
図１〜図１８を用いて、本発明の第１の実施の形態について説明する。
図１中、10は、図示しないが、フード付きのアウトドアジャケット等の衣類等のフードや裾等に通した紐部材20を挿通し、当該紐部材20の長さ調整に使用されるものである。
紐部材20としては、丸紐、平紐、テープ、バンド、コード等を含むものである。
なお、コードロック10を衣類等の紐部材20に使用したが、これに限定されず、鞄、リックサック、小物袋、靴或いはハーネス等に使用してもよい。
コードロック10は、図１に示すように、大別すると、次のパーツから構成されている。
なお、次の（１）〜（３）については後述する。
（１）本体部30
（２）押圧部40
（３）コイルスプリング50（付勢手段）
【００２８】
（本体部30）
本体部30は、図１、図２、図４及び図７に示すように、前面に開口部31を有するものである。ここで、「前面」とは、図７を例に挙げると、向かって右側が相当し、「前方」ともいう。同図の向かって左側が「後面」側となり、後述する後壁60で塞がれ、「後方」ともいう。
本体部30は、図１〜図７に示すように、ボックス型に形成され、大別すると、次の各部を有し、適度な剛性を有する熱可塑性の樹脂、例えば「ＰＯＭ」（ポリアセタール又はポリオキシメチレン）により一体成形されている。
なお、次の（１）及び（２）については後述する。
（１）後壁60
（２）外側壁70
なお、本体部30の材質として、「ＰＯＭ」を例示したが、これに限定されず、他の樹脂材料を用いてもよいし、或いは金属製としてもよい。
【００２９】
（押圧部40）
押圧部40は、図２及び図１５に示すように、本体部30内に前後方向に移動可能に収納されるものである。
押圧部40は、図１、図２、図８〜図１１に示すように、大別すると、次の各部を有し、本体部30と同様に、適度な剛性に加え、弾性を有する熱可塑性の樹脂、例えば「ＰＯＭ」（ポリアセタール又はポリオキシメチレン）により一体成形されている。
なお、次の（１）〜（４）については後述する。
（１）前壁80
（２）内側壁90
（３）押圧部紐挿通部100
（４）円筒凹部110
なお、押圧部40の材質として、「ＰＯＭ」を例示したが、これに限定されず、本体部30と同様に、他の樹脂材料を用いてもよいし、或いは金属製としてもよい。また、押圧部40の材質と、本体部30の材質とを一致させたが、異ならせてもよい。
【００３０】
（コイルスプリング50）
コイルスプリング50は、図２及び図１５に示すように、本体部30と押圧部40との間に位置し、押圧部40を本体部30の前方に付勢するものであり、「付勢手段」として機能する。
コイルスプリング50は、図１、図２及び図１４に示すように、側壁、すなわち押圧部40の後述する内側壁90の内面と、２ヶ所の後述する本体部孔71を通る紐部材20の外形とが交わる２ヶ所の仮想面を直線でつなげた仮想立体にラップする位置にある。
ここで、「側壁の内面と２ヶ所の本体部孔71を通る紐部材20の外形とが交わる２ヶ所の仮想面」は、簡単に説明すると、図１に示す後述する押圧部孔101の方形の孔面が相当する。
【００３１】
コイルスプリング50は、図１及び図２に示すように、押圧部40に設けた後述する円筒凹部110に収納され、円筒凹部110の底と本体部30の後述する後壁60とにより圧縮される。
なお、付勢手段として、コイルスプリング50を例示したが、これに限定されず、例えば板バネ、クッション部材を使用してもよく、又、金属製にも限定されず、樹脂バネでもよく、本体部30や押圧部40の一方、或いは両方に樹脂バネを一体的に形成してもよい。
【００３２】
（後壁60）
後壁60は、図７に示すように、開口部31と対向する反対側の面、すなわち後面を塞ぐものである。後壁60は、図７に示すように、平面が左右に長い略長方形、或いは下方がすぼまった略台形形を成し、板状に形成されている。
なお、後壁60の平面形状として、略長方形や略台形形を例示したが、これに限定されず、三角形、五角形以上の多角形、楕円形、長円形、或いは動物や花等のキャラクタを模した形状としても良い。
【００３３】
後壁60は、図１、図２〜図４及び図７に示すように、大別すると、次の各部を有する。
（１）ボス部61
ボス部61は、図７に示すように、後壁60から開口部31に向かって延び、コイルスプリング50の一端部が外嵌される。ボス部61は、図３、図４及び図７に示すように、外側壁70の後述する２ヶ所の本体部孔71を結ぶ仮想線上に位置し、当該仮想線上の中点に中心を位置させている。
【００３４】
（２）隆起部62
隆起部62は、図７に示すように、後壁60から開口部31に向かって隆起し、図４に示すように、ボス部61を中心とする、平面が円弧状に形成されている。隆起部62は、押圧部40の後述する押圧部紐挿通部100に対向して位置する。隆起部62は、図７に示すように、外側壁70の後述する２ヶ所の本体部孔71を結ぶ仮想線に対しては、ボス部61とは異なり、ずれた位置に形成されている。
【００３５】
（外側壁70）
外側壁70は、図１〜図４、図６及び図７に示すように、後壁60の周囲を縁取る枠状に形成されている。
【００３６】
外側壁70は、図３〜図７に示すように、大別すると、次の各部を備える。
（１）本体部孔71
本体部孔71は、図３、図４、図７及び図１８に示すように、開口部31を構成する側壁、すなわち本体部30の外側壁70の２ヶ所に形成され、紐部材20が通るものである。本体部孔71は、外側壁70を内外に貫通し、略方形に形成され、図４に示すように、ボス部61を挟んで左右両側に線対称に形成されている。
【００３７】
（２）スライド溝72
スライド溝72は、図示しないが、押圧部40の後述するスライド突起91がはまり込み、押圧部40の前後方向の移動を規制するものである。スライド溝72は、図７に示すように、外側壁70を内外に貫通し、同図において左右方向に長い溝状に形成されている。スライド溝72は、開口部31側が外側壁70で行き止まりに形成され、押圧部40の最大突出位置を規制するとともに、開口部31からの押圧部40の抜けを阻止する。
スライド溝72は、図７に示すように、外側壁70の上下に一対形成されている。
【００３８】
（３）紐通し枠73
紐通し枠73は、図４及び図５に示すように、スライド溝72の外側に位置し、外側壁70から略コ字形の突出する。
ガイド枠73は、外側壁70の上下に一対形成されている。
紐通し枠73には、図示しないが、紐部材20のほか、幅広なベルト部材を通したり、固定できるようにしている。
なお、一対の紐通し枠73を設けたが、これに限定されず、例えば一対の紐通し枠73を全て省いたり、１個だけ設けたり、３個以上設けてもよい。紐通し枠73を上下に設けたが、これに限定されず、左右方向に設けてもよい。
【００３９】
（前壁80）
前壁80は、図８及び図１５に示すように、前面に押圧面81を有し、その外形を本体部30の開口部31の内形以下に設定している。
【００４０】
（内側壁90）
内側壁90は、図８、図１０〜図１４に示すように、前壁80の厚み方向に隆起している。
内側壁90の外面には、外方に爪状に突出したスライド突起91を設けている。
スライド突起91は、図１３に示すように、内側壁90の後方側、同図において向かって左側に位置し、当該内側壁90の上下に一対形成されている。スライド突起91は、本体部30の一対のスライド溝72にそれぞれはまり込み、押圧部40が前後方向に移動する際に、スライド溝72に沿って移動する。
【００４１】
（押圧部紐挿通部100）
押圧部紐挿通部100は、図１７に示すように、押圧部40の内部に位置し、本体部30の２ヶ所の本体部孔71と連通可能であり、紐部材20が通るものである。押圧部紐挿通部100は、図１２に示すように、紐部材20が通る溝状に形成されている。
押圧部紐挿通部100は、図８、図１０及び図１２〜図１４に示すように、大別すると、次の各部を有する。なお、次の（１）〜（３）については後述する。
（１）押圧部孔101
（２）屈曲挿通部102
（３）窓部103
【００４２】
（円筒凹部110）
円筒凹部110は、図１０、図１２及び図１３に示すように、円筒形の凹状に形成され、後方、すなわち図１３において向かって左側が開口し、当該開口からコイルスプリング50が収納されるものである。円筒凹部110には、図１７に示すように、その開口から本体部30のボス部61がはまり込む。
円筒凹部110には、図１２に示すように、押圧部紐挿通部100に向かって円弧状に突出する周壁111を形成し、当該周壁111を、後述する屈曲挿通部102が通るように設けられる。
このため、押圧部紐挿通部100を通る紐部材20は、図１８に示すように、円筒凹部110内に収納されたコイルスプリング50と、周壁111を挟んで位置することから、紐部材20が押圧部紐挿通部100に通し易く、又、紐部材20の移動も容易であるばかりでなく、コイルスプリング50の隙間内に紐部材20が噛むことも未然に防止できる利点がある。
【００４３】
（押圧部孔101）
押圧部孔101は、図８及び図１２に示すように、押圧部紐挿通部100の両端部に位置し、図１７に示すように、押圧部40を本体部30の開口部31から挿入した組み立て状態において、２ヶ所の本体部孔71と略同一位置に配置している。押圧部孔101は、内側壁90を内外に貫通し、本体部孔71と略同一の略方形に形成され、円筒凹部110を挟んで左右両側に線対称に形成されている。
【００４４】
（屈曲挿通部102）
屈曲挿通部102は、図１２に示すように、押圧部紐挿通部100の途中に位置し、図１７及び図１８に示すように、押圧部40の内部で紐部材20を屈曲させて挿通させるものである。屈曲挿通部102は、図１２に示すように、円筒凹部110の周壁111を通るように設けられている。屈曲挿通部102は、２ヶ所の押圧部孔101を結び、円筒凹部110を半周するように、円弧状に形成されている。
屈曲挿通部102は、図１２に示すように、２ヶ所の本体部孔71の同じ側の孔縁間同士をつなげる仮想線より外側に紐部材20を挿通させる。
ここで、「２ヶ所の本体部孔71の同じ側の孔縁」とは、図１２に示すように、押圧部40の「押圧部孔101」の孔縁が相当する。
【００４５】
（窓部103）
窓部103は、図１、図２、図１０及び図１３に示すように、押圧部40の押圧面81の反対面側の一部を屈曲挿通部102に開口させて形成される。窓部103は、屈曲挿通部102に沿って円弧状に形成している。窓部103を形成することで、成形時の押圧部40の屈曲挿通部102の形成を容易化できる。
【００４６】
（コードロック10の使用方法）
つぎに、組み立て状態のコードロック10の使用方法について説明する。
押圧部40は、図１５に示すように、コイルスプリング50のバネ力により、本体部30の開口部31から突出し、このとき、本体部30の本体部孔71と、押圧部40の押圧部孔101とが、前後方向、すなわち図１５の左右方向に互い違いにずれて位置する。
紐部材20を通す際には、図示しないが、押圧部40の押圧面81を、コイルスプリング50のバネ力に抗し、本体部30の開口部31に向かって押し込む。
押圧部40を押し込むと、図１７に示すように、本体部孔71と押圧部孔101との位置が一致し、本体部孔71と押圧部紐挿通部100とが連通する。
【００４７】
押圧部40の押し込み状態において、紐部材20の先端部を、図１８に示すように、２ヶ所の本体部孔71の一方から押圧部紐挿通部100に挿入する。紐部材20を挿入すると、屈曲挿通部102に沿って円弧状に屈曲し、その後、他方の本体部孔71から出る。
紐部材20を通した後、押圧部40を押し込む力を解放すると、コイルスプリング50のバネ力により、押圧部40が本体部30の開口部31から突出する方向に前進する。このため、本体部孔71と押圧部孔101とが、前後方向、すなわち図１５の左右方向に互い違いにずれようとすることで、紐部材20がコードロック10内でロックされ、紐部材20の移動が阻止される。
なお、紐部材20の長さを調節する際には、押圧部40を押し込むことでロック状態が解除され、コードロック10に対する紐部材20の相対的な移動が可能となる。
【００４８】
（図１９以降を用いた第２の実施の形態の説明）
つぎに、図１９〜図３７を用いて発明の第２の実施の形態について説明する。
本実施の形態の特徴は、第１に、図示しないが、紐部材220を２本、或いは、図１９及び図２５に示すように、紐部材220をループさせて２本の両端部221,222を通すことができるようにした点である。
第２に、本実施の形態の特徴は、図１〜図１８を用いて先に説明した第１の実施の形態にある、円筒凹部110の周壁111を省くことで、図２５に示すように、２本の両端部221,222を近接させて配置でき、同図の左右方向の幅を減少できるようにした点である。
【００４９】
本実施の形態に係るコードロック200は、図１９に示すように、大別すると、次の構成を備える。なお、次の（１）〜（３）の各部については後述する。
（１）本体部230
（２）押圧部240
（３）コイルスプリング250
【００５０】
（本体部230）
本体部230は、図２５に示すように、紐部材220をループさせて２本の第１、第２端部221,222を通すことができるほか、基本的には先に説明した第１の実施の形態の本体部30と同様の構造を有するので、説明を省略する。
本体部230は、図２７〜３１に示すように、大別すると、次の各部を備える。なお、次の（１）〜（３）の各部については後述する。
（１）開口部231
（２）後壁260
（３）外側壁270
【００５１】
（押圧部240）
押圧部240は、基本的には先に説明した第１の実施の形態の押圧部40と同様の構造を有するので、説明を省略する。
押圧部240は、図３２〜３７に示すように、大別すると、次の各部を備える。なお、次の（１）〜（４）の各部については後述する。
（１）前壁280
（２）内側壁290
（３）第１、第２押圧部紐挿通部300,310
（４）分岐部320
【００５２】
（コイルスプリング250）
コイルスプリング250は、図１９に示すように、本体部230と押圧部240との間に位置し、押圧部240を本体部230の前方に付勢するものであり、「付勢手段」として機能する。
また、コイルスプリング250は、先に説明した第１の実施の形態のコイルスプリング50と比較し、ピッチを小さくすることで、コイルスプリング250の隙間内に紐部材220が噛むことを未然に防止できるようにしている。
なお、付勢手段として、コイルスプリング250を例示したが、これに限定されず、例えば板バネ、クッション部材を使用してもよく、又、金属製にも限定されず、樹脂バネでもよく、本体部230や押圧部240の一方、或いは両方に樹脂バネを一体的に形成してもよい。
【００５３】
（開口部231）
開口部231は、本体部30の前面、すなわち図２７においては上方に向かって開口する。
【００５４】
（後壁260）
後壁260は、基本的には先に説明した第１の実施の形態の後壁60と同様の構造を有するので、説明を省略する。
【００５５】
後壁260は、図２６、図２７及び図２９に示すように、大別すると、次の各部を備える。
（１）ボス部261
ボス部261は、図２７及び図２９に示すように、後壁260の内面の中心に位置し、開口部231に向かって延び、コイルスプリング250の一端部が外嵌される。
【００５６】
（２）第１隆起部262,263
第１隆起部262,263は、図２６、図２７及び図２９に示すように、後壁260から開口部231に向かって隆起し、押圧部240の後述する第１押圧部紐挿通部300に沿って位置する。
第１隆起部262,263は、図２９に示すように、一対形成され、外側壁270の後述する２カ所の第１本体部孔271に向かって、平面がハの字に傾斜している。２個の第１隆起部262,263は、図２６に示すように、互いに対向する方向に斜面を向けた断面が略台形形に形成されている。
【００５７】
（３）第２隆起部264,265
第２隆起部264,265は、図２９に示すように、ボス部261を挟んで、第１隆起部262,263と線対称に形成され、押圧部240の後述する第２押圧部紐挿通部310に沿って位置する。
【００５８】
（外側壁270）
外側壁270は、基本的には先に説明した第１の実施の形態の外側壁70と同様の構造を有するので、説明を省略する。
【００５９】
外側壁270は、図２７に示すように、大別すると、次の各部を備える。
（１）第１本体部孔271
第１本体部孔271は、図２７及び図３１に示すように、外側壁270の２ヶ所に対向して形成され、紐部材220の第１端部221が通るものである。
【００６０】
（２）第２本体部孔272
第２本体部孔272は、図２７及び図３１に示すように、第１本体部孔271と隣接して位置し、外側壁270の２ヶ所に対向して形成され、紐部材220の第２端部222が通るものである。
【００６１】
（３）紐通し枠273
紐通し枠273は、図２７〜図３１に示すように、外側壁270から略コ字形の突出する。ガイド枠273は、図２９及び図３０において、外側壁70の左右方向に位置し、一対形成されている。
紐通し枠273には、図示しないが、紐部材220のほか、幅広なベルト部材を通したり、固定できるようにしている。
【００６２】
（前壁280）
前壁280は、基本的には先に説明した第１の実施の形態の前壁80と同様の構造を有するので、説明を省略する。
【００６３】
前壁280は、図３２、図３４及び図３７に示すように、大別すると、次の各部を備える。
（１）押圧面281
押圧面281は、前壁280の前面、すなわち図３２において上面に位置する。
【００６４】
（内側壁290）
内側壁290は、基本的には先に説明した第１の実施の形態の内側壁90と同様の構造を有するので、説明を省略する。
【００６５】
内側壁290は、図３２〜図３７に示すように、大別すると、次の各部を有する。
（１）窓部291
窓部291は、図３３及び図３６に示すように、押圧部240の押圧面281の反対面側の一部を後述する第１、第２屈曲挿通部302,312に開口させて形成される。窓部291を形成することで、成形時の押圧部40の第１、第２屈曲挿通部302,312、及び後述する分岐部320の形成を容易化できる。
【００６６】
（２）スライド突起292
スライド突起292は、図３２〜図３７に示すように、内側壁90の外面から外方に爪状に突出したものである。
スライド突起292は、図３４に示すように、内側壁290の後方側、同図において向かって右側に位置する。スライド突起292は、図３４に示すように、内側壁290の上下に位置するとともに、図３５及び図３６に示すように、左右方向に２個並んで位置し、４カ所に計４個設けられている。
４個のスライド突起292は、図２３に示すように、本体部230の第１、第２本体部孔271,272にそれぞれはまり込み、押圧部240が前後方向に移動する際に、第１、第２本体部孔271,272に沿って移動する。スライド突起292は、第１、第２本体部孔271,272において、図２３の下側に位置する内縁に当接することで、押圧部240の最大突出位置を規制するとともに、開口部231からの押圧部240の抜けを阻止する。
【００６７】
（第１、第２押圧部紐挿通部300,310）
第１、第２押圧部紐挿通部300,310は、図３３及び図３４に示すように、押圧部240の内部に位置し、図２４及び図２５に示すように、本体部30の第１、第２体部孔271,272と連通可能である。
第１、第２押圧部紐挿通部300,310のうち、第１押圧部紐挿通部300は、図２５に示すように、紐部材220の第１端部221が通るものである。
他方の第２押圧部紐挿通部310は、紐部材220の第２端部222が通るものであり、図３６に示すように、後述する２ヶ所の分岐部320を挟んで、第１押圧部紐挿通部300と線対称に形成されている。
【００６８】
第１、第２押圧部紐挿通部300,310は、図３３、図３６及び図３７に示すように、大別すると、次の各部を備える。
（１）第１、第２押圧部孔301,311
第１、第２押圧部孔301,311は、図３２、図３３及び図３７に示すように、第１、第２押圧部紐挿通部300,310の両端部にそれぞれ位置し、図２４に示すように、押圧部240を本体部230の開口部231から挿入した組み立て状態において、第１、第２本体部孔271,272と略同一位置に配置している。第１、第２押圧部孔301,311は、内側壁290を内外に貫通し、第１、第２本体部孔271,272と略同一の略方形に形成されている。
【００６９】
（２）第１、第２屈曲挿通部302,312
第１、第２屈曲挿通部302,312は、図２４、図３３及び図３６に示すように、第１、第２押圧部紐挿通部300,310の途中にそれぞれ位置し、図２５に示すように、押圧部240の内部で紐部材220の第１、第２端部221,222をそれぞれ屈曲させて挿通させるものである。
第１、第２屈曲挿通部302,312のうち、第１屈曲挿通部302は、図２４に示すように、押圧部240を本体部230の開口部231から挿入した組み立て状態において、本体部230のボス部261に外嵌したコイルスプリング250の外周の半周、同図において向かって左側に位置する半周と、後述する第１湾曲部303とで区画される。
他方の第２屈曲挿通部312は、図２４に示すように、組み立て状態において、本体部230のボス部261に外嵌したコイルスプリング250の外周の残る半周、同図において向かって右側に位置する半周と、後述する第２湾曲部313とで区画される。
【００７０】
（３）第１、第２湾曲部303,313
第１、第２湾曲部303,313は、図３３及び図３６に示すように、第１、第２屈曲挿通部302,312の一部を構成し、図２４に示すように、組み立て状態において、本体部230のボス部261を中心とする、平面が円弧状に形成されている。
【００７１】
（分岐部320）
分岐部320は、図３３及び図３６に示すように、押圧部240の内部に位置し、第１、第２押圧部紐挿通部300,310の間に位置する。分岐部320は、図２５に示すように、第１、第２押圧部孔301,311からそれぞれ挿入された紐部材220の第１、第２端部221,222をそれぞれ離隔する方向に案内するものである。
分岐部320は、図３６に示すように、同図において上下に線対称に一対設けられている。
【００７２】
分岐部320は、大別すると、図３３及び図３６に示すように、次の各部を備える。
（１）基部321
基部321は、図３３及び図３６に示すように、第１、第２押圧部孔301,311の間隔内に位置し、板状に形成されている。
【００７３】
（２）二股部322
二股部322は、図３３及び図３６に示すように、基部321の先端部に略Ｙ字形ないしは略Ｔ字形に連接する。二股部322は、基部321から徐々に肉厚を徐々に増加させることで、幅方向の両側に位置する外側面を湾曲させている。二股部322の端面は、図２４に示すように、組み立て状態において、本体部230のボス部261を中心として湾曲し、ボス部261に外嵌されたコイルスプリング250の外周と離れて対向する。
【００７４】
（コードロック200の使用方法）
つぎに、組み立て状態のコードロック200の使用方法について説明する。
押圧部240は、図２３に示すように、コイルスプリング250のバネ力により、本体部230の開口部231から突出し、このとき、本体部230の第１、第２本体部孔271,272と、押圧部240の第１、第２押圧部孔301,311とが、前後方向、すなわち図２３の上下方向に互い違いにずれて位置する。
紐部材220の２本の第１、第２端部221,222を通す際には、図示しないが、押圧部240の押圧面281を、コイルスプリング250のバネ力に抗し、本体部230の開口部231に向かって押し込む。
押圧部240を押し込むと、図２４に示すように、第１、第２本体部孔271,272と第１、第１押圧部孔301,311との位置が一致し、第１、第２本体部孔271,272と第１、第２押圧部紐挿通部300,310とが連通する。
【００７５】
押圧部240の押し込み状態において、２本の第１、第２端部221,222の先端部を、図２５に示すように、第１、第２本体部孔271,272の一方から第１、第２押圧部紐挿通部300,310に挿入する。２本の第１、第２端部221,222を挿入すると、屈曲挿通部102に沿って円弧状に屈曲し、その後、他方の第１、第２本体部孔271,272から出る。
２本の第１、第２端部221,222を通した後、押圧部240を押し込む力を解放すると、コイルスプリング250のバネ力により、押圧部240が本体部230の開口部231から突出する方向に前進する。このため、第１、第２本体部孔271,272と第１、第２押圧部孔301,311とが、前後方向、すなわち図２３の上下方向に互い違いにずれようとすることで、２本の第１、第２端部221,222がコードロック200内でロックされ、２本の第１、第２端部221,222の移動が阻止される。
なお、２本の第１、第２端部221,222の長さを調節する際には、押圧部240を押し込むことでロック状態が解除され、コードロック200に対する２本の第１、第２端部221,222の相対的な移動が可能となる。
【符号の説明】
【００７６】
（第１の実施の形態）
10  コードロック        20  紐部材
30  本体部              31  開口部
40  押圧部              50  コイルスプリング（付勢手段）
60  後壁
61  ボス部              62  隆起部
70  外側壁              71  本体部孔
72  スライド溝          73  紐通し枠
80  前壁                81  押圧面
90  内側壁              91  スライド突起
100  押圧部紐挿通部    101  押圧部孔
102  屈曲挿通部        103  窓部
110  円筒凹部          111  周壁
（第２の実施の形態）
200  コードロック      220  紐部材
221  第１端部          222  第２端部
230  本体部            231  開口部
240  押圧部            250  コイルスプリング（付勢手段）
260  後壁              261  ボス部
262,263  第１隆起部    264,265  第２隆起部
270  外側壁            271  第１本体部孔
272  第２本体部孔      273  紐通し枠
280  前壁              281  押圧面
290  内側壁
291  窓部                  292  スライド突起
300  第１押圧部紐挿通部    301  第１押圧部孔
302  第１屈曲挿通部        303  第１湾曲部
310  第２押圧部紐挿通部    311  第２押圧部孔
312  第２屈曲挿通部        213  第２湾曲部
320  分岐部
321  基部                  322  二股部
【図１】
0006659468.tif 000002
【図２】
0006659468.tif 000003
【図３】
0006659468.tif 000004
【図４】
0006659468.tif 000005
【図５】
0006659468.tif 000006
【図６】
0006659468.tif 000007
【図７】
0006659468.tif 000008
【図８】
0006659468.tif 000009
【図９】
0006659468.tif 000010
【図１０】
0006659468.tif 000011
【図１１】
0006659468.tif 000012
【図１２】
0006659468.tif 000013
【図１３】
0006659468.tif 000014
【図１４】
0006659468.tif 000015
【図１５】
0006659468.tif 000016
【図１６】
0006659468.tif 000017
【図１７】
0006659468.tif 000018
【図１８】
0006659468.tif 000019
【図１９】
0006659468.tif 000020
【図２０】
0006659468.tif 000021
【図２１】
0006659468.tif 000022
【図２２】
0006659468.tif 000023
【図２３】
0006659468.tif 000024
【図２４】
0006659468.tif 000025
【図２５】
0006659468.tif 000026
【図２６】
0006659468.tif 000027
【図２７】
0006659468.tif 000028
【図２８】
0006659468.tif 000029
【図２９】
0006659468.tif 000030
【図３０】
0006659468.tif 000031
【図３１】
0006659468.tif 000032
【図３２】
0006659468.tif 000033
【図３３】
0006659468.tif 000034
【図３４】
0006659468.tif 000035
【図３５】
0006659468.tif 000036
【図３６】
0006659468.tif 000037
【図３７】
0006659468.tif 000038